(57)【要約】  受信用チューナ部３ａが受信しているサービスの受信品質が劣化したと判定されると、当該サービスの遷移候補サービスを裏サーチ用チューナ部３ｂに受信させ、当該遷移候補サービスの受信品質の判定結果に基づいて、受信用チューナ部３ａが受信しているサービスを当該遷移候補サービスへ切り替えるか否かを判定する。
2013014711.tif 000002
【特許請求の範囲】
【請求項１】
視聴を行うサービスのデジタル放送を受信する第１のチューナ部と、
前記第１のチューナ部が受信しているサービスとは異なるチャンネルの中から、当該サービスを代替する遷移候補サービスをサーチする第２のチューナ部と、
前記第１のチューナ部が受信しているサービスの受信品質を判定する第１の信号判定部と、
前記第２のチューナ部が受信しているサービスの受信品質を判定する第２の信号判定部と、
前記第２のチューナ部によりサーチされた遷移候補サービスを記憶するメモリ部と、
前記第１の信号判定部により前記第１のチューナ部が受信しているサービスの受信品質が劣化したと判定されると、前記メモリ部に記憶される当該サービスの遷移候補サービスを前記第２のチューナ部に受信させ、前記第２の信号判定部による当該遷移候補サービスの受信品質の判定結果に基づいて、前記第１のチューナ部が受信しているサービスを当該遷移候補サービスへ切り替えるか否かを判定する切り替え判定部とを備えたデジタル放送受信機。
【請求項２】
前記第２のチューナ部は、前記第１のチューナ部が受信しているサービスと同一内容のサービスを遷移候補サービスとしてサーチすることを特徴とする請求項１記載のデジタル放送受信機。
【発明の詳細な説明】
【技術分野】
【０００１】
この発明は、複数のチューナ部を備えるデジタル放送受信機に関する。
【背景技術】
【０００２】
例えば、特許文献１に記載のデジタル放送受信機は、複数のチューナ部を備えており、これらのチューナ部を利用してダブルチューナ受信モードおよびダイバーシチ受信モードを適宜切り替えている。
【先行技術文献】
【特許文献】
【０００３】
【特許文献１】特開２００４−３４３２１０号公報
【発明の概要】
【発明が解決しようとする課題】
【０００４】
車両などの移動体に搭載されたデジタル放送受信機では、移動に伴う受信環境の変化によって、受信中のサービスの受信品質が劣化する場合がある。この場合、当該サービスを受信しているチューナ部とは別個に設けたチューナ部を用いて、当該サービスを代替する遷移候補サービスをバックグラウンドでサーチし、遷移候補サービスをまとめたサービスリストを作成しておけば、当該サービスリストを基に円滑にサービスを切り替えることができる。【０００５】
しかしながら、バックグラウンドでサーチすべきチャンネルが多数存在する場合、上記サービスリストの更新に時間がかかるため、急激な受信品質の変化に対応できないという課題があった。
例えば、欧州ＤＶＢ−Ｔ放送の場合には、図１に示すようにｃｈ２１からｃｈ６２までの４１ものチャンネルが存在し、サービスリストを更新するには４１チャンネル分の同調および信号判定を行う必要がある。このため、サービスリストの更新に約１分〜３分程度の時間がかかる。
従って、サービスリストに登録された遷移候補サービスのうち、最大で３分前の情報に基づいて、サービスの切り替えが判定される。
すなわち、サービスリストの遷移候補サービスが急激に受信品質が劣化して、受信中のサービスよりも受信品質が悪くなった場合であっても、更新前のサービスリストの内容に従ってサービスが切り替えられてしまい、現状よりも受信品質が劣化する可能性がある。
反対に、サービスリストへ登録された時点よりも、遷移候補サービスの受信品質が十分良好になっていても、当該サービスリストが更新されるまで、受信品質が良好な遷移候補サービスへ切り替えができない場合もあり得る。【０００６】
なお、特許文献１に代表される従来の技術では、ダブルチューナ受信モードとダイバーシチ受信モードに切り換えて動作する受信装置であるため、上述のようなサービスリストの更新に起因した不具合を解決することができない。【０００７】
この発明は、上記のような課題を解決するためになされたもので、現在受信中のサービスから遷移候補サービスへ変更すべきか否かを適切に判定することができるデジタル放送受信機を得ることを目的とする。
【課題を解決するための手段】
【０００８】
この発明に係るデジタル放送受信機は、視聴を行うサービスのデジタル放送を受信する第１のチューナ部と、第１のチューナ部が受信しているサービスとは異なるチャンネルの中から、当該サービスを代替する遷移候補サービスをサーチする第２のチューナ部と、第１のチューナ部が受信しているサービスの受信品質を判定する第１の信号判定部と、第２のチューナ部が受信しているサービスの受信品質を判定する第２の信号判定部と、第２のチューナ部によりサーチされた遷移候補サービスを記憶するメモリ部と、第１の信号判定部により第１のチューナ部が受信しているサービスの受信品質が劣化したと判定されると、メモリ部に記憶される当該サービスの遷移候補サービスを第２のチューナ部に受信させ、第２の信号判定部による当該遷移候補サービスの受信品質の判定結果に基づいて、第１のチューナ部が受信しているサービスを当該遷移候補サービスへ切り替えるか否かを判定する切り替え判定部とを備える。
【発明の効果】
【０００９】
この発明によれば、受信中のサービスから遷移候補サービスへ変更すべきか否かを適切に判定することができるという効果がある。
【図面の簡単な説明】
【００１０】
【図１】欧州ＤＶＢ−Ｔ放送の裏サーチ動作を説明する図である。
【図２】この発明の実施の形態１に係るデジタル放送受信機の構成を示すブロック図である。
【図３】裏サーチリストの一例を示す図である。
【図４】実施の形態１に係るデジタル放送受信機による受信サービスの変更処理を示すフローチャートである。
【図５】サービス切り替えの判定基準の一例を示す図である。
【図６】車両の走行による放送局のサービスエリアの変化を示す図である。
【図７】車両の走行ルートにおける放送波の受信品質を示す図である。
【図８】遷移候補サービスへの切り替え時の車両の走行ルートにおける受信品質を示す図である。
【発明を実施するための形態】
【００１１】
以下、この発明をより詳細に説明するため、この発明を実施するための形態について、添付の図面に従って説明する。
実施の形態１．
図２は、この発明の実施の形態１に係るデジタル放送受信機の構成を示すブロック図であり、移動体（例えば車両）に搭載した移動体向けのデジタル放送受信機を示している。図２において、実施の形態１に係るデジタル放送受信機１は、アンテナ２ａを用いた受信用チューナ部３ａ、アンテナ２ｂを用いた裏サーチ用チューナ部３ｂおよび信号処理部４を備える。
本発明における裏サーチとは、ユーザが視聴を行うサービスのデジタル放送を受信用チューナ部３ａが受信している間に、そのバックグラウンドで当該サービスとは異なるチャンネルの中から、当該サービスを代替するサービス（以下、遷移候補サービスと呼ぶ）をサーチする動作である。例えば、ジャンルが同じサービスを遷移候補サービスとする。
なお、異なるチャンネルで同一内容のサービスが放送（サイマルキャスト）されている場合は、そのいずれかをユーザが視聴するサービスとして受信中であれば、当該サービスと異なるチャンネルでかつ同一内容のサービスが遷移候補サービスとなる。
【００１２】
受信用チューナ部３ａは、アンテナ２ａを介してユーザが視聴を行うサービスのデジタル放送を受信する構成部であり、チューナ５ａおよび検波部６ａを備える。チューナ５ａは、アンテナ２ａで受信する放送波のチャンネルを選択し、アンテナ２ａで受信された放送波信号をＩＦ（中間周波数）信号に変換する。検波部６ａは、チューナ５ａから入力されたＩＦ信号をアナログ／デジタル（Ａ／Ｄ）変換してデジタルデータとし、直交変調および周波数同調されたＩ成分、Ｑ成分の信号を、ＦＦＴ（高速フーリエ演算）で周波数信号に変換して検波信号を得る。
【００１３】
裏サーチ用チューナ部３ｂは、アンテナ２ａを介して裏サーチを行う構成部であり、チューナ５ｂおよび検波部６ｂを備える。チューナ５ｂは、アンテナ２ｂで受信する放送波のチャンネルを選択し、アンテナ２ａで受信された放送波信号をＩＦ信号に変換する。検波部６ｂは、チューナ５ｂから入力したＩＦ信号をＡ／Ｄ変換し、直交変調および周波数同調されたＩ成分およびＱ成分の信号をＦＦＴで周波数信号に変換して検波信号を得る。
受信用チューナ部３ａおよび裏サーチ用チューナ部３ｂからの検波信号は、ともに後段の信号処理部４へ送られる。
【００１４】
信号処理部４は、受信用チューナ部３ａおよび裏サーチ用チューナ部３ｂから入力した信号を処理する信号処理部であり、デコーダ部７、チューナ制御部８ａ，８ｂ、信号判定部９ａ，９ｂ、リスト作成部１０、メモリ部１１および切り替え判定部１２を備える。
デコーダ部７は、受信用チューナ部３ａからの検波信号に基づいて映像、音声、データの復調を行う。デコーダ部７からの映像出力および音声出力は、後段にある不図示の映像表示装置などで映像音声が提供される。
チューナ制御部８ａは、受信用チューナ部３ａのチューナ５ａを同調制御する制御部であり、チューナ制御部８ｂは、裏サーチ用チューナ部３ｂのチューナ５ｂを同調制御する制御部である。
【００１５】
また、信号判定部９ａは、受信用チューナ部３ａからの検波信号の受信品質を判定する構成部であり、判定結果の受信品質（受信電界強度の指標値など、サービスの受信品質を把握するための値）は、メモリ部１１に格納される。
一方、信号判定部９ｂは、裏サーチ用チューナ部３ｂからの検波信号の受信品質を判定する構成部であり、判定結果の受信品質（受信電界強度の指標値など、サービスの受信品質を把握するための値）は、同様にメモリ部１１に格納される。
リスト作成部１０は、裏サーチ用チューナ部３ｂの検波信号から抽出された遷移候補の受信サービスのＩＤ、サービス名およびその受信品質を含む裏サーチリストを作成する。裏サーチリストは、メモリ部１１に格納される。なお、裏サーチリストの詳細は、図３を用いて後述する。
【００１６】
メモリ部１１は、受信用チューナ部３ａが受信しているサービスの受信品質判定結果、裏サーチ用チューナ部３ｂが受信しているサービスの受信品質判定結果およびリスト作成部１０が作成した裏サーチリストを格納する。
切り替え判定部１２は、メモリ部１１に記憶された情報に基づいて、受信用チューナ部３ａが受信中のサービスの受信品質と、裏サーチリストを基に裏サーチ用チューナ部３ｂが受信しているサービスの受信品質を比較し、受信用チューナ部３ａが受信中のサービスを変更すべきか否かを判定し、その判定結果に基づいてサービスを切り替える。
なお、切り替え判定部１２は、サービス変更が必要であると判定すると、チューナ制御部８ａに指示して、変更後のサービスにチューナ５ａを同調制御する。また、切り替え判定部１２は、チューナ制御部８ｂに指示して、裏サーチ用チューナ部３ｂのチューナ５ｂに同調制御を行い、常にサーチ動作を行わせる。
【００１７】
図３は、裏サーチリストの一例を示す図である。図３のように、裏サーチリストは、放送された番組のサービスを識別するＳＩＤ（サービスＩＤ）、サービス名、チャンネル番号、およびその受信品質（受信電界強度の指標値など、サービスの受信品質を把握するための値）がリスト化された情報である。
また、裏サーチリストには、受信中のサービスおよびこのサービスに対する遷移候補となるサービスが記載される。例えば、チャンネルｃｈ３７の“Ｓｅｒｖｉｃｅ  ＢＢＢ”を受信しているとき、裏サーチにより同一内容のチャンネルｃｈ６２の“Ｓｅｒｖｉｃｅ  ＢＢＢ”が検出された場合、このチャンネルｃｈ６２の“Ｓｅｒｖｉｃｅ  ＢＢＢ”が、チャンネルｃｈ３７の“Ｓｅｒｖｉｃｅ  ＢＢＢ”に対する遷移候補となる。
すなわち、チャンネルｃｈ３７の“Ｓｅｒｖｉｃｅ  ＢＢＢ”を受信中に、車両の走行等によりその受信品質が低下してきた場合、裏サーチリストにおけるチャンネルｃｈ６２のサービスへ変更される。
【００１８】
次に動作について説明する。
図４は、実施の形態１に係るデジタル放送受信機による受信サービスの変更処理を示すフローチャートである。
まず、信号判定部９ａは、受信用チューナ部３ａがサービスを受信している間、受信中のサービスの受信品質を判定する（ステップＳＴ１）。ここでは、現在受信中のサービスの受信品質を把握するための値（受信電界強度の指標値など）が、この受信品質に関する所定の閾値未満になったか否かが判定され、判定結果はメモリ部１１に逐次格納される。
上記閾値は、サービス切り替えを行うべき受信品質を示す値である。例えば、受信用チューナ部３ａが受信可能な信号品質範囲（例えば、受信電界強度を指標化した値の範囲）の下限値に余裕値を加算した値が考えられる。また、上記閾値は、入力手段（図２において不図示）を用いてユーザが任意のレベルを設定できるようにしてもよい。
なお、図４において、受信用チューナ部３ａを“チューナ（表）”と記載し、裏サーチ用チューナ部３ｂを“チューナ（裏）”と記載する。
【００１９】
切り替え判定部１２は、信号判定部９ａによる判定の結果から、現在受信中のサービスの受信品質を把握するための値が上記閾値未満になったことを把握すると（ステップＳＴ１；ＹＥＳ）、メモリ部１１に格納された裏サーチリストに、現在受信中のサービスと同一内容の遷移候補サービスがあるか否かを判定する（ステップＳＴ２）。
裏サーチリストに遷移候補サービスがある場合（ステップＳＴ２；ＹＥＳ）、ステップＳＴ５の処理へ移行する。
【００２０】
一方、現在受信中のサービスの受信品質を把握するための値が上記閾値以上である場合（ステップＳＴ１；ＮＯ）、あるいは、裏サーチリストに遷移候補サービスがない場合（ステップＳＴ２；ＮＯ）、切り替え判定部１２は、チューナ制御部８ｂに指示して裏サーチ用チューナ部３ｂによる裏サーチを継続させる（ステップＳＴ３）。
次に、リスト作成部１０が、裏サーチ用チューナ部３ｂの裏サーチで得られた信号から遷移候補の受信サービスのＩＤ、サービス名、およびその受信品質などを抽出し、これを基にメモリ部１１の裏サーチリストを更新する（ステップＳＴ４）。
【００２１】
切り替え判定部１２は、裏サーチリストに遷移候補サービスがあると、チューナ制御部８ｂに指示して、裏サーチ用チューナ部３ｂの裏サーチ動作を停止させる（ステップＳＴ５）。次に、切り替え判定部１２は、チューナ制御部８ｂに指示して、裏サーチリストの当該遷移候補サービスに裏サーチ用チューナ部３ｂを同調させる（ステップＳＴ６）。
信号判定部９ｂは、裏サーチ用チューナ部３ｂが受信中の遷移候補サービスの受信品質を判定する（ステップＳＴ７）。ここでは、遷移候補サービスの受信品質を把握するための値（受信電界強度の指標値など）が上記閾値以上になったか否かが判定され、判定結果がメモリ部１１に逐次格納される。
【００２２】
遷移候補サービスの受信品質を把握するための値が上記閾値未満である場合（ステップＳＴ７；ＮＯ）、現在受信中のサービスから切り替えても受信品質の向上は望めないことから、遷移候補サービスへの切り替えを行わずに処理を終了する。
これは、裏サーチリストが作成された時点から受信環境が変化して、遷移候補サービスの受信品質が劣化した場合が考えられる。
【００２３】
一方、切り替え判定部１２は、信号判定部９ｂによる判定の結果から、遷移候補サービスの受信品質を把握するための値が上記閾値以上になったことを把握すると（ステップＳＴ７；ＹＥＳ）、チューナ制御部８ａに指示して、受信用チューナ部３ａを当該遷移候補サービスに同調させる（ステップＳＴ８）。この後、裏サーチ用チューナ部３ｂは、裏サーチ動作を再開する。
このように、実施の形態１では、リアルタイムな受信環境で判定された受信品質を基準として、遷移候補サービスへの切り替えが行われるので、現在受信中のサービスから遷移候補サービスへ変更すべきか否かを適切に判定することができる。
【００２４】
なお、ステップＳＴ７において、切り替え判定部１２は、信号判定部９ｂによる判定の結果に加えて、その時点に受信用チューナ部３ａが受信中のサービスの受信品質の判定結果（信号判定部９ａによる判定結果）を合わせて、遷移候補サービスへの切り替え可否を判定してもよい。
図５は、サービス切り替えの判定基準の一例を示す図である。切り替え判定部１２は、図５に示すような判定基準で遷移候補サービスへの切り替えを判定する。
（１）現在受信中のサービスの受信品質を把握するための値が上記閾値未満であり、かつ遷移候補サービスの受信品質を把握するための値が上記閾値未満である場合、切り替え判定部１２は、遷移候補サービスへの切り替えを不可とする。
（２）現在受信中のサービスの受信品質を把握するための値が上記閾値未満であり、かつ遷移候補サービスの受信品質を把握するための値が上記閾値以上である場合、切り替え判定部１２は、遷移候補サービスへの切り替えを可とする。
（３）現在受信中のサービスの受信品質を把握するための値が上記閾値以上であり、かつ遷移候補サービスの受信品質を把握するための値が上記閾値未満である場合、切り替え判定部１２は、遷移候補サービスへの切り替えを不可とする。
（４）現在受信中のサービスの受信品質を把握するための値が上記閾値以上であり、かつ遷移候補サービスの受信品質を把握するための値も上記閾値以上である場合においては、現在受信中のサービスの受信品質を把握するための値が、遷移候補サービスの受信品質を把握するための値以上であると、遷移候補サービスへの切り替えを不可とする。
また、現在受信中のサービスの受信品質を把握するための値が、遷移候補サービスの受信品質を把握するための値未満であると、遷移候補サービスへの切り替えを可とする。
【００２５】
次に、具体例を挙げて説明する。
図６は、実施の形態１に係るデジタル放送受信機を搭載した車両の走行による放送局のサービスエリアの変化を示す図である。図６の例は、Ａ点周辺の放送局（送信所）が送信するチャンネルｃｈ３７のサービス“Ｓｅｒｖｉｃｅ  ＢＢＢ”を、車両１３に搭載したデジタル放送受信機１で受信（視聴）しながら、ルート上を走行してＢ点へ向かっている場合を示している。なお、車両１３の走行ルートにはＡ点とＢ点の間にＰ点が存在する。
また、Ｂ点周辺の放送局（送信所）は、チャンネルｃｈ６２で同一内容のサービス“Ｓｅｒｖｉｃｅ  ＢＢＢ”を放送しており、裏サーチリストには、受信中のチャンネルｃｈ３７のサービスに対する遷移候補サービスとして、チャンネルｃｈ６２のサービスが登録されているものとする。
【００２６】
図７（ａ）は、図６中のＡ点周辺の送信所が送信しているチャンネルｃｈ３７のサービス“Ｓｅｒｖｉｃｅ  ＢＢＢ”の受信品質（例えば受信電界強度を指標化した値）の走行ルート上での変化を示すグラフである。図７（ａ）に示すように、受信用チューナ部３ａは、受信品質の指標値が“３”以上の範囲が受信可能である。
従って、車両１３がＡ点付近を走行している場合は、チャンネルｃｈ３７のサービスを受信できるが、Ｐ点付近から急激に受信品質が低下して受信できなくなる。
また、図７（ｂ）は、図６中のＢ点周辺の送信所が送信しているチャンネルｃｈ６２のサービス“Ｓｅｒｖｉｃｅ  ＢＢＢ”の受信品質の走行ルート上での変化を示すグラフである。図７（ｂ）に示すように、チャンネルｃｈ６２のサービスの受信品質は、Ａ点付近から上昇し始め、Ｐ点付近になると既に受信用チューナ部３ａで受信可能になっている。
【００２７】
例えば、車両１３がＡ点付近にいた時点で作成された裏サーチリストにおいて、受信品質は低いが、チャンネルｃｈ３７のサービスに対する遷移候補サービスとしてチャンネルｃｈ６２のサービスが登録されていた場合を考える。
この場合、車両１３がＰ点付近まで走行したとき、裏サーチリストの更新が実施されていなければ、従来では、チャンネルｃｈ６２のサービスの受信品質が、チャンネルｃｈ３７の受信品質を逆転しているにもかかわらず、その時点の裏サーチリストの内容に基づいて判定され、チャンネルｃｈ６２のサービスへの変更が実施されない可能性がある。
そこで、本発明では、以下のような切り替え判定を行うため、リアルタイムな受信品質の変化に応じて適切なサービスの切り替えが可能である。
【００２８】
図８は、遷移候補サービスへの切り替え時の車両の走行ルートにおける受信品質を示す図である。ここで、図８（ａ）は、受信用チューナ部３ａで受信しているチャンネルｃｈ３７のサービスの受信品質の変化を示している。
信号判定部９ａは、受信用チューナ部３ａがチャンネルｃｈ３７のサービスを受信している間、チャンネルｃｈ３７のサービスの受信品質を把握するための値が、閾値ａ未満になったか否かを判定している。
図８（ａ）に示すように、チャンネルｃｈ３７のサービスの受信品質は、Ｐ点付近から急激に低下して閾値ａ未満になっている。このとき、裏サーチリストには、遷移候補サービスとしてチャンネルｃｈ６２のサービスが登録されているので、裏サーチ用チューナ部３ｂは、裏サーチ動作を停止し、当該遷移候補サービスを受信するよう制御される。
【００２９】
図８（ｂ）は、裏サーチ用チューナ部３ｂが受信しているチャンネルｃｈ６２のサービスの受信品質の変化を示している。信号判定部９ｂは、上述のようにして裏サーチ用チューナ部３ｂでチャンネルｃｈ６２の遷移候補サービスの受信が開始されると、当該遷移候補サービスの受信品質を把握するための値が上記閾値ａ以上になったか否かを判定する。
ここでは、図８（ａ）および図８（ｂ）に示すように、受信用チューナ部３ａが受信中のサービス（チャンネルｃｈ３７）の受信品質を把握するための値が閾値ａ未満になり、かつ、裏サーチ用チューナ部３ｂが受信中の遷移候補サービス（チャンネルｃｈ６２）の受信品質を把握するための値が閾値ａ以上となっている。
この場合、切り替え判定部１２は、遷移候補サービスの受信品質が十分に高いと判断して、受信用チューナ部３ａが受信するサービスを、当該遷移候補サービスに切り替えさせる。この後、裏サーチ用チューナ部３ｂは、裏サーチ動作を再開する。
【００３０】
受信用チューナ部３ａが受信中のサービス“Ｓｅｒｖｉｃｅ  ＢＢＢ”の受信品質が、図７（ａ）および図７（ｂ）に示すように変化する場合であっても、図８（ｃ）のようにＰ点付近でチャンネルｃｈ３７のサービスの受信品質が低下し始めたところで、受信品質が高いチャンネルｃｈ６２の同一内容のサービスに適切に切り替えることが可能である。
つまり、チャンネルｃｈ３７の“Ｓｅｒｖｉｃｅ  ＢＢＢ”が放送される放送エリア内のＡ点と、チャンネルｃｈ６２の“Ｓｅｒｖｉｃｅ  ＢＢＢ”が放送される放送エリア内のＢ点とを結ぶルート上の双方の放送エリアが重なる領域にあるＰ点付近で、チャンネルｃｈ３７からチャンネルｃｈ６２へ自動的に放送局が切り替わる。これにより、車両１３のユーザは、サービス“Ｓｅｒｖｉｃｅ  ＢＢＢ”を視聴し続けることができる。
【００３１】
以上のように、この実施の形態１によれば、視聴を行うサービスのデジタル放送を受信する受信用チューナ部３ａと、受信用チューナ部３ａが受信しているサービスとは異なるチャンネルの中から、当該サービスを代替する遷移候補サービスをサーチする裏サーチ用チューナ部３ｂと、受信用チューナ部３ａが受信しているサービスの受信品質を判定する信号判定部９ａと、裏サーチ用チューナ部３ｂが受信しているサービスの受信品質を判定する信号判定部９ｂと、裏サーチ用チューナ部３ｂによりサーチされた遷移候補サービスを記憶するメモリ部１１と、信号判定部９ａにより受信用チューナ部３ａが受信しているサービスの受信品質が劣化したと判定されると、メモリ部１１に記憶される当該サービスの遷移候補サービスを裏サーチ用チューナ部３ｂに受信させ、信号判定部９ｂによる当該遷移候補サービスの受信品質の判定結果に基づいて、受信用チューナ部３ａが受信しているサービスを当該遷移候補サービスへ切り替えるか否かを判定する切り替え判定部１２とを備える。このように構成することで、遷移候補サービスの受信状態が急変した場合でもサービス切り替えの判定を適切に行うことができる。
【００３２】
また、この実施の形態１によれば、裏サーチ用チューナ部３ｂが、受信用チューナ部３ａが受信しているサービスと同一内容のサービスを遷移候補サービスとしてサーチする。このようにすることにより、受信品質に応じて同一内容のサービスを自動的に切り替えることができる。
【００３３】
なお、本発明はその発明の範囲内において、実施の形態の任意の構成要素の変形、もしくは実施の形態の任意の構成要素の省略が可能である。
【産業上の利用可能性】
【００３４】
この発明に係るデジタル放送受信機は、現在受信中のサービスから遷移候補サービスへ変更すべきか否かを適切に判定することができることから、車両の走行により受信状況が変化する可能性がある車載用のデジタル放送受信機に好適である。
【符号の説明】
【００３５】
１  デジタル放送受信機、２ａ，２ｂ  アンテナ、３ａ  受信用チューナ部、３ｂ  裏サーチ用チューナ部、４  信号処理部、５ａ，５ｂ  チューナ、６ａ，６ｂ  検波部、７  デコーダ部、８ａ，８ｂ  チューナ制御部、９ａ，９ｂ  信号判定部、１０  リスト作成部、１１  メモリ部、１２  切り替え判定部、１３  車両。
【図１】
2013014711.tif 000003
【図２】
2013014711.tif 000004
【図３】
2013014711.tif 000005
【図４】
2013014711.tif 000006
【図５】
2013014711.tif 000007
【図６】
2013014711.tif 000008
【図７】
2013014711.tif 000009
【図８】
2013014711.tif 000010
【手続補正書】
【提出日】平成25年7月23日(2013.7.23)
【手続補正１】
【補正対象書類名】明細書
【補正対象項目名】全文
【補正方法】変更
【補正の内容】
【発明の詳細な説明】
【技術分野】
【０００１】
この発明は、複数のチューナ部を備えるデジタル放送受信機に関する。
【背景技術】
【０００２】
例えば、特許文献１に記載のデジタル放送受信機は、複数のチューナ部を備えており、これらのチューナ部を利用してダブルチューナ受信モードおよびダイバーシチ受信モードを適宜切り替えている。
【先行技術文献】
【特許文献】
【０００３】
【特許文献１】特開２００４−３４３２１０号公報
【発明の概要】
【発明が解決しようとする課題】
【０００４】
車両などの移動体に搭載されたデジタル放送受信機では、移動に伴う受信環境の変化によって、受信中のサービスの受信品質が劣化する場合がある。この場合、当該サービスを受信しているチューナ部とは別個に設けたチューナ部を用いて、当該サービスを代替する遷移候補サービスをバックグラウンドでサーチし、遷移候補サービスをまとめたサービスリストを作成しておけば、当該サービスリストを基に円滑にサービスを切り替えることができる。
【０００５】
しかしながら、バックグラウンドでサーチすべきチャンネルが多数存在する場合、上記サービスリストの更新に時間がかかるため、急激な受信品質の変化に対応できないという課題があった。
例えば、欧州ＤＶＢ−Ｔ放送の場合には、図１に示すようにｃｈ２１からｃｈ６２までの４１ものチャンネルが存在し、サービスリストを更新するには４１チャンネル分の同調および信号判定を行う必要がある。このため、サービスリストの更新に約１分〜３分程度の時間がかかる。
従って、サービスリストに登録された遷移候補サービスのうち、最大で３分前の情報に基づいて、サービスの切り替えが判定される。
すなわち、サービスリストの遷移候補サービスが急激に受信品質が劣化して、受信中のサービスよりも受信品質が悪くなった場合であっても、更新前のサービスリストの内容に従ってサービスが切り替えられてしまい、現状よりも受信品質が劣化する可能性がある。
反対に、サービスリストへ登録された時点よりも、遷移候補サービスの受信品質が十分良好になっていても、当該サービスリストが更新されるまで、受信品質が良好な遷移候補サービスへ切り替えができない場合もあり得る。
【０００６】
なお、特許文献１に代表される従来の技術では、ダブルチューナ受信モードとダイバーシチ受信モードに切り換えて動作する受信装置であるため、上述のようなサービスリストの更新に起因した不具合を解決することができない。
【０００７】
この発明は、上記のような課題を解決するためになされたもので、現在受信中のサービスから遷移候補サービスへ変更すべきか否かを適切に判定することができるデジタル放送受信機を得ることを目的とする。
【課題を解決するための手段】
【０００８】
この発明に係るデジタル放送受信機は、視聴を行うサービスのデジタル放送を受信する第１のチューナ部と、第１のチューナ部が受信しているサービスとは異なるチャンネルの中から、当該サービスを代替する遷移候補サービスをサーチする第２のチューナ部と、第１のチューナ部が受信しているサービスの受信品質を判定する第１の信号判定部と、第２のチューナ部が受信しているサービスの受信品質を判定する第２の信号判定部と、第２のチューナ部によりサーチされた遷移候補サービスを記憶するメモリ部と、第１の信号判定部により第１のチューナ部が受信しているサービスの受信品質が劣化したと判定されると、第２のチューナによるサーチを停止するとともに、メモリ部に記憶される当該サービスの遷移候補サービスを第２のチューナ部に受信させ、第１の信号判定部による受信品質の判定結果と第２の信号判定部による当該遷移候補サービスの受信品質の判定結果とをリアルタイムに比較することで、第１のチューナ部が受信しているサービスを当該遷移候補サービスへ切り替えるか否かを判定する切り替え判定部とを備える。
【発明の効果】
【０００９】
この発明によれば、受信中のサービスから遷移候補サービスへ変更すべきか否かを適切に判定することができるという効果がある。
【図面の簡単な説明】
【００１０】
【図１】欧州ＤＶＢ−Ｔ放送の裏サーチ動作を説明する図である。
【図２】この発明の実施の形態１に係るデジタル放送受信機の構成を示すブロック図である。
【図３】裏サーチリストの一例を示す図である。
【図４】実施の形態１に係るデジタル放送受信機による受信サービスの変更処理を示すフローチャートである。
【図５】サービス切り替えの判定基準の一例を示す図である。
【図６】車両の走行による放送局のサービスエリアの変化を示す図である。
【図７】車両の走行ルートにおける放送波の受信品質を示す図である。
【図８】遷移候補サービスへの切り替え時の車両の走行ルートにおける受信品質を示す図である。
【発明を実施するための形態】
【００１１】
以下、この発明をより詳細に説明するため、この発明を実施するための形態について、添付の図面に従って説明する。
実施の形態１．
図２は、この発明の実施の形態１に係るデジタル放送受信機の構成を示すブロック図であり、移動体（例えば車両）に搭載した移動体向けのデジタル放送受信機を示している。図２において、実施の形態１に係るデジタル放送受信機１は、アンテナ２ａを用いた受信用チューナ部３ａ、アンテナ２ｂを用いた裏サーチ用チューナ部３ｂおよび信号処理部４を備える。
本発明における裏サーチとは、ユーザが視聴を行うサービスのデジタル放送を受信用チューナ部３ａが受信している間に、そのバックグラウンドで当該サービスとは異なるチャンネルの中から、当該サービスを代替するサービス（以下、遷移候補サービスと呼ぶ）をサーチする動作である。例えば、ジャンルが同じサービスを遷移候補サービスとする。
なお、異なるチャンネルで同一内容のサービスが放送（サイマルキャスト）されている場合は、そのいずれかをユーザが視聴するサービスとして受信中であれば、当該サービスと異なるチャンネルでかつ同一内容のサービスが遷移候補サービスとなる。
【００１２】
受信用チューナ部３ａは、アンテナ２ａを介してユーザが視聴を行うサービスのデジタル放送を受信する構成部であり、チューナ５ａおよび検波部６ａを備える。チューナ５ａは、アンテナ２ａで受信する放送波のチャンネルを選択し、アンテナ２ａで受信された放送波信号をＩＦ（中間周波数）信号に変換する。検波部６ａは、チューナ５ａから入力されたＩＦ信号をアナログ／デジタル（Ａ／Ｄ）変換してデジタルデータとし、直交変調および周波数同調されたＩ成分、Ｑ成分の信号を、ＦＦＴ（高速フーリエ演算）で周波数信号に変換して検波信号を得る。
【００１３】
裏サーチ用チューナ部３ｂは、アンテナ２ａを介して裏サーチを行う構成部であり、チューナ５ｂおよび検波部６ｂを備える。チューナ５ｂは、アンテナ２ｂで受信する放送波のチャンネルを選択し、アンテナ２ａで受信された放送波信号をＩＦ信号に変換する。検波部６ｂは、チューナ５ｂから入力したＩＦ信号をＡ／Ｄ変換し、直交変調および周波数同調されたＩ成分およびＱ成分の信号をＦＦＴで周波数信号に変換して検波信号を得る。
受信用チューナ部３ａおよび裏サーチ用チューナ部３ｂからの検波信号は、ともに後段の信号処理部４へ送られる。
【００１４】
信号処理部４は、受信用チューナ部３ａおよび裏サーチ用チューナ部３ｂから入力した信号を処理する信号処理部であり、デコーダ部７、チューナ制御部８ａ，８ｂ、信号判定部９ａ，９ｂ、リスト作成部１０、メモリ部１１および切り替え判定部１２を備える。
デコーダ部７は、受信用チューナ部３ａからの検波信号に基づいて映像、音声、データの復調を行う。デコーダ部７からの映像出力および音声出力は、後段にある不図示の映像表示装置などで映像音声が提供される。
チューナ制御部８ａは、受信用チューナ部３ａのチューナ５ａを同調制御する制御部であり、チューナ制御部８ｂは、裏サーチ用チューナ部３ｂのチューナ５ｂを同調制御する制御部である。
【００１５】
また、信号判定部９ａは、受信用チューナ部３ａからの検波信号の受信品質を判定する構成部であり、判定結果の受信品質（受信電界強度の指標値など、サービスの受信品質を把握するための値）は、メモリ部１１に格納される。
一方、信号判定部９ｂは、裏サーチ用チューナ部３ｂからの検波信号の受信品質を判定する構成部であり、判定結果の受信品質（受信電界強度の指標値など、サービスの受信品質を把握するための値）は、同様にメモリ部１１に格納される。
リスト作成部１０は、裏サーチ用チューナ部３ｂの検波信号から抽出された遷移候補の受信サービスのＩＤ、サービス名およびその受信品質を含む裏サーチリストを作成する。裏サーチリストは、メモリ部１１に格納される。なお、裏サーチリストの詳細は、図３を用いて後述する。
【００１６】
メモリ部１１は、受信用チューナ部３ａが受信しているサービスの受信品質判定結果、裏サーチ用チューナ部３ｂが受信しているサービスの受信品質判定結果およびリスト作成部１０が作成した裏サーチリストを格納する。
切り替え判定部１２は、メモリ部１１に記憶された情報に基づいて、受信用チューナ部３ａが受信中のサービスの受信品質と、裏サーチリストを基に裏サーチ用チューナ部３ｂが受信しているサービスの受信品質を比較し、受信用チューナ部３ａが受信中のサービスを変更すべきか否かを判定し、その判定結果に基づいてサービスを切り替える。
なお、切り替え判定部１２は、サービス変更が必要であると判定すると、チューナ制御部８ａに指示して、変更後のサービスにチューナ５ａを同調制御する。また、切り替え判定部１２は、チューナ制御部８ｂに指示して、裏サーチ用チューナ部３ｂのチューナ５ｂに同調制御を行い、常にサーチ動作を行わせる。
【００１７】
図３は、裏サーチリストの一例を示す図である。図３のように、裏サーチリストは、放送された番組のサービスを識別するＳＩＤ（サービスＩＤ）、サービス名、チャンネル番号、およびその受信品質（受信電界強度の指標値など、サービスの受信品質を把握するための値）がリスト化された情報である。
また、裏サーチリストには、受信中のサービスおよびこのサービスに対する遷移候補となるサービスが記載される。例えば、チャンネルｃｈ３７の“Ｓｅｒｖｉｃｅ  ＢＢＢ”を受信しているとき、裏サーチにより同一内容のチャンネルｃｈ６２の“Ｓｅｒｖｉｃｅ  ＢＢＢ”が検出された場合、このチャンネルｃｈ６２の“Ｓｅｒｖｉｃｅ  ＢＢＢ”が、チャンネルｃｈ３７の“Ｓｅｒｖｉｃｅ  ＢＢＢ”に対する遷移候補となる。
すなわち、チャンネルｃｈ３７の“Ｓｅｒｖｉｃｅ  ＢＢＢ”を受信中に、車両の走行等によりその受信品質が低下してきた場合、裏サーチリストにおけるチャンネルｃｈ６２のサービスへ変更される。
【００１８】
次に動作について説明する。
図４は、実施の形態１に係るデジタル放送受信機による受信サービスの変更処理を示すフローチャートである。
まず、信号判定部９ａは、受信用チューナ部３ａがサービスを受信している間、受信中のサービスの受信品質を判定する（ステップＳＴ１）。ここでは、現在受信中のサービスの受信品質を把握するための値（受信電界強度の指標値など）が、この受信品質に関する所定の閾値未満になったか否かが判定され、判定結果はメモリ部１１に逐次格納される。
上記閾値は、サービス切り替えを行うべき受信品質を示す値である。例えば、受信用チューナ部３ａが受信可能な信号品質範囲（例えば、受信電界強度を指標化した値の範囲）の下限値に余裕値を加算した値が考えられる。また、上記閾値は、入力手段（図２において不図示）を用いてユーザが任意のレベルを設定できるようにしてもよい。
なお、図４において、受信用チューナ部３ａを“チューナ（表）”と記載し、裏サーチ用チューナ部３ｂを“チューナ（裏）”と記載する。
【００１９】
切り替え判定部１２は、信号判定部９ａによる判定の結果から、現在受信中のサービスの受信品質を把握するための値が上記閾値未満になったことを把握すると（ステップＳＴ１；ＹＥＳ）、メモリ部１１に格納された裏サーチリストに、現在受信中のサービスと同一内容の遷移候補サービスがあるか否かを判定する（ステップＳＴ２）。
裏サーチリストに遷移候補サービスがある場合（ステップＳＴ２；ＹＥＳ）、ステップＳＴ５の処理へ移行する。
【００２０】
一方、現在受信中のサービスの受信品質を把握するための値が上記閾値以上である場合（ステップＳＴ１；ＮＯ）、あるいは、裏サーチリストに遷移候補サービスがない場合（ステップＳＴ２；ＮＯ）、切り替え判定部１２は、チューナ制御部８ｂに指示して裏サーチ用チューナ部３ｂによる裏サーチを継続させる（ステップＳＴ３）。
次に、リスト作成部１０が、裏サーチ用チューナ部３ｂの裏サーチで得られた信号から遷移候補の受信サービスのＩＤ、サービス名、およびその受信品質などを抽出し、これを基にメモリ部１１の裏サーチリストを更新する（ステップＳＴ４）。
【００２１】
切り替え判定部１２は、裏サーチリストに遷移候補サービスがあると、チューナ制御部８ｂに指示して、裏サーチ用チューナ部３ｂの裏サーチ動作を停止させる（ステップＳＴ５）。次に、切り替え判定部１２は、チューナ制御部８ｂに指示して、裏サーチリストの当該遷移候補サービスに裏サーチ用チューナ部３ｂを同調させる（ステップＳＴ６）。
信号判定部９ｂは、裏サーチ用チューナ部３ｂが受信中の遷移候補サービスの受信品質を判定する（ステップＳＴ７）。ここでは、遷移候補サービスの受信品質を把握するための値（受信電界強度の指標値など）が上記閾値以上になったか否かが判定され、判定結果がメモリ部１１に逐次格納される。
【００２２】
遷移候補サービスの受信品質を把握するための値が上記閾値未満である場合（ステップＳＴ７；ＮＯ）、現在受信中のサービスから切り替えても受信品質の向上は望めないことから、遷移候補サービスへの切り替えを行わずに処理を終了する。
これは、裏サーチリストが作成された時点から受信環境が変化して、遷移候補サービスの受信品質が劣化した場合が考えられる。
【００２３】
一方、切り替え判定部１２は、信号判定部９ｂによる判定の結果から、遷移候補サービスの受信品質を把握するための値が上記閾値以上になったことを把握すると（ステップＳＴ７；ＹＥＳ）、チューナ制御部８ａに指示して、受信用チューナ部３ａを当該遷移候補サービスに同調させる（ステップＳＴ８）。この後、裏サーチ用チューナ部３ｂは、裏サーチ動作を再開する。
このように、実施の形態１では、リアルタイムな受信環境で判定された受信品質を基準として、遷移候補サービスへの切り替えが行われるので、現在受信中のサービスから遷移候補サービスへ変更すべきか否かを適切に判定することができる。
【００２４】
なお、ステップＳＴ７において、切り替え判定部１２は、信号判定部９ｂによる判定の結果に加えて、その時点に受信用チューナ部３ａが受信中のサービスの受信品質の判定結果（信号判定部９ａによる判定結果）を合わせて、遷移候補サービスへの切り替え可否を判定してもよい。
図５は、サービス切り替えの判定基準の一例を示す図である。切り替え判定部１２は、図５に示すような判定基準で遷移候補サービスへの切り替えを判定する。
（１）現在受信中のサービスの受信品質を把握するための値が上記閾値未満であり、かつ遷移候補サービスの受信品質を把握するための値が上記閾値未満である場合、切り替え判定部１２は、遷移候補サービスへの切り替えを不可とする。
（２）現在受信中のサービスの受信品質を把握するための値が上記閾値未満であり、かつ遷移候補サービスの受信品質を把握するための値が上記閾値以上である場合、切り替え判定部１２は、遷移候補サービスへの切り替えを可とする。
（３）現在受信中のサービスの受信品質を把握するための値が上記閾値以上であり、かつ遷移候補サービスの受信品質を把握するための値が上記閾値未満である場合、切り替え判定部１２は、遷移候補サービスへの切り替えを不可とする。
（４）現在受信中のサービスの受信品質を把握するための値が上記閾値以上であり、かつ遷移候補サービスの受信品質を把握するための値も上記閾値以上である場合においては、現在受信中のサービスの受信品質を把握するための値が、遷移候補サービスの受信品質を把握するための値以上であると、遷移候補サービスへの切り替えを不可とする。
また、現在受信中のサービスの受信品質を把握するための値が、遷移候補サービスの受信品質を把握するための値未満であると、遷移候補サービスへの切り替えを可とする。
【００２５】
次に、具体例を挙げて説明する。
図６は、実施の形態１に係るデジタル放送受信機を搭載した車両の走行による放送局のサービスエリアの変化を示す図である。図６の例は、Ａ点周辺の放送局（送信所）が送信するチャンネルｃｈ３７のサービス“Ｓｅｒｖｉｃｅ  ＢＢＢ”を、車両１３に搭載したデジタル放送受信機１で受信（視聴）しながら、ルート上を走行してＢ点へ向かっている場合を示している。なお、車両１３の走行ルートにはＡ点とＢ点の間にＰ点が存在する。
また、Ｂ点周辺の放送局（送信所）は、チャンネルｃｈ６２で同一内容のサービス“Ｓｅｒｖｉｃｅ  ＢＢＢ”を放送しており、裏サーチリストには、受信中のチャンネルｃｈ３７のサービスに対する遷移候補サービスとして、チャンネルｃｈ６２のサービスが登録されているものとする。
【００２６】
図７（ａ）は、図６中のＡ点周辺の送信所が送信しているチャンネルｃｈ３７のサービス“Ｓｅｒｖｉｃｅ  ＢＢＢ”の受信品質（例えば受信電界強度を指標化した値）の走行ルート上での変化を示すグラフである。図７（ａ）に示すように、受信用チューナ部３ａは、受信品質の指標値が“３”以上の範囲が受信可能である。
従って、車両１３がＡ点付近を走行している場合は、チャンネルｃｈ３７のサービスを受信できるが、Ｐ点付近から急激に受信品質が低下して受信できなくなる。
また、図７（ｂ）は、図６中のＢ点周辺の送信所が送信しているチャンネルｃｈ６２のサービス“Ｓｅｒｖｉｃｅ  ＢＢＢ”の受信品質の走行ルート上での変化を示すグラフである。図７（ｂ）に示すように、チャンネルｃｈ６２のサービスの受信品質は、Ａ点付近から上昇し始め、Ｐ点付近になると既に受信用チューナ部３ａで受信可能になっている。
【００２７】
例えば、車両１３がＡ点付近にいた時点で作成された裏サーチリストにおいて、受信品質は低いが、チャンネルｃｈ３７のサービスに対する遷移候補サービスとしてチャンネルｃｈ６２のサービスが登録されていた場合を考える。
この場合、車両１３がＰ点付近まで走行したとき、裏サーチリストの更新が実施されていなければ、従来では、チャンネルｃｈ６２のサービスの受信品質が、チャンネルｃｈ３７の受信品質を逆転しているにもかかわらず、その時点の裏サーチリストの内容に基づいて判定され、チャンネルｃｈ６２のサービスへの変更が実施されない可能性がある。
そこで、本発明では、以下のような切り替え判定を行うため、リアルタイムな受信品質の変化に応じて適切なサービスの切り替えが可能である。
【００２８】
図８は、遷移候補サービスへの切り替え時の車両の走行ルートにおける受信品質を示す図である。ここで、図８（ａ）は、受信用チューナ部３ａで受信しているチャンネルｃｈ３７のサービスの受信品質の変化を示している。
信号判定部９ａは、受信用チューナ部３ａがチャンネルｃｈ３７のサービスを受信している間、チャンネルｃｈ３７のサービスの受信品質を把握するための値が、閾値ａ未満になったか否かを判定している。
図８（ａ）に示すように、チャンネルｃｈ３７のサービスの受信品質は、Ｐ点付近から急激に低下して閾値ａ未満になっている。このとき、裏サーチリストには、遷移候補サービスとしてチャンネルｃｈ６２のサービスが登録されているので、裏サーチ用チューナ部３ｂは、裏サーチ動作を停止し、当該遷移候補サービスを受信するよう制御される。
【００２９】
図８（ｂ）は、裏サーチ用チューナ部３ｂが受信しているチャンネルｃｈ６２のサービスの受信品質の変化を示している。信号判定部９ｂは、上述のようにして裏サーチ用チューナ部３ｂでチャンネルｃｈ６２の遷移候補サービスの受信が開始されると、当該遷移候補サービスの受信品質を把握するための値が上記閾値ａ以上になったか否かを判定する。
ここでは、図８（ａ）および図８（ｂ）に示すように、受信用チューナ部３ａが受信中のサービス（チャンネルｃｈ３７）の受信品質を把握するための値が閾値ａ未満になり、かつ、裏サーチ用チューナ部３ｂが受信中の遷移候補サービス（チャンネルｃｈ６２）の受信品質を把握するための値が閾値ａ以上となっている。
この場合、切り替え判定部１２は、遷移候補サービスの受信品質が十分に高いと判断して、受信用チューナ部３ａが受信するサービスを、当該遷移候補サービスに切り替えさせる。この後、裏サーチ用チューナ部３ｂは、裏サーチ動作を再開する。
【００３０】
受信用チューナ部３ａが受信中のサービス“Ｓｅｒｖｉｃｅ  ＢＢＢ”の受信品質が、図７（ａ）および図７（ｂ）に示すように変化する場合であっても、図８（ｃ）のようにＰ点付近でチャンネルｃｈ３７のサービスの受信品質が低下し始めたところで、受信品質が高いチャンネルｃｈ６２の同一内容のサービスに適切に切り替えることが可能である。
つまり、チャンネルｃｈ３７の“Ｓｅｒｖｉｃｅ  ＢＢＢ”が放送される放送エリア内のＡ点と、チャンネルｃｈ６２の“Ｓｅｒｖｉｃｅ  ＢＢＢ”が放送される放送エリア内のＢ点とを結ぶルート上の双方の放送エリアが重なる領域にあるＰ点付近で、チャンネルｃｈ３７からチャンネルｃｈ６２へ自動的に放送局が切り替わる。これにより、車両１３のユーザは、サービス“Ｓｅｒｖｉｃｅ  ＢＢＢ”を視聴し続けることができる。
【００３１】
以上のように、この実施の形態１によれば、視聴を行うサービスのデジタル放送を受信する受信用チューナ部３ａと、受信用チューナ部３ａが受信しているサービスとは異なるチャンネルの中から、当該サービスを代替する遷移候補サービスをサーチする裏サーチ用チューナ部３ｂと、受信用チューナ部３ａが受信しているサービスの受信品質を判定する信号判定部９ａと、裏サーチ用チューナ部３ｂが受信しているサービスの受信品質を判定する信号判定部９ｂと、裏サーチ用チューナ部３ｂによりサーチされた遷移候補サービスを記憶するメモリ部１１と、信号判定部９ａにより受信用チューナ部３ａが受信しているサービスの受信品質が劣化したと判定されると、メモリ部１１に記憶される当該サービスの遷移候補サービスを裏サーチ用チューナ部３ｂに受信させ、信号判定部９ｂによる当該遷移候補サービスの受信品質の判定結果に基づいて、受信用チューナ部３ａが受信しているサービスを当該遷移候補サービスへ切り替えるか否かを判定する切り替え判定部１２とを備える。このように構成することで、遷移候補サービスの受信状態が急変した場合でもサービス切り替えの判定を適切に行うことができる。
【００３２】
また、この実施の形態１によれば、裏サーチ用チューナ部３ｂが、受信用チューナ部３ａが受信しているサービスと同一内容のサービスを遷移候補サービスとしてサーチする。このようにすることにより、受信品質に応じて同一内容のサービスを自動的に切り替えることができる。
【００３３】
なお、本発明はその発明の範囲内において、実施の形態の任意の構成要素の変形、もしくは実施の形態の任意の構成要素の省略が可能である。
【符号の説明】
【００３４】
１  デジタル放送受信機、２ａ，２ｂ  アンテナ、３ａ  受信用チューナ部、３ｂ  裏サーチ用チューナ部、４  信号処理部、５ａ，５ｂ  チューナ、６ａ，６ｂ  検波部、７  デコーダ部、８ａ，８ｂ  チューナ制御部、９ａ，９ｂ  信号判定部、１０  リスト作成部、１１  メモリ部、１２  切り替え判定部、１３  車両。
【手続補正２】
【補正対象書類名】特許請求の範囲
【補正対象項目名】全文
【補正方法】変更
【補正の内容】
【特許請求の範囲】
【請求項１】
視聴を行うサービスのデジタル放送を受信する第１のチューナ部と、
前記第１のチューナ部が受信しているサービスとは異なるチャンネルの中から、当該サービスを代替する遷移候補サービスをサーチする第２のチューナ部と、
前記第１のチューナ部が受信しているサービスの受信品質を判定する第１の信号判定部と、
前記第２のチューナ部が受信しているサービスの受信品質を判定する第２の信号判定部と、
前記第２のチューナ部によりサーチされた遷移候補サービスを記憶するメモリ部と、
前記第１の信号判定部により前記第１のチューナ部が受信しているサービスの受信品質が劣化したと判定されると、前記第２のチューナによるサーチを停止するとともに、前記メモリ部に記憶される当該サービスの遷移候補サービスを前記第２のチューナ部に受信させ、前記第１の信号判定部による受信品質の判定結果と前記第２の信号判定部による当該遷移候補サービスの受信品質の判定結果とをリアルタイムに比較することで、前記第１のチューナ部が受信しているサービスを当該遷移候補サービスへ切り替えるか否かを判定する切り替え判定部
とを備えたデジタル放送受信機。
【請求項２】
前記第２のチューナ部は、前記第１のチューナ部が受信しているサービスと同一内容のサービスを遷移候補サービスとしてサーチすることを特徴とする請求項１記載のデジタル放送受信機。
【国際調査報告】
2013014711.tif 000011
2013014711.tif 000012